(57)【要約】      （修正有）【課題】包装使用前に、自己防湿機能を有する試験紙とその製造方法を提供する。【解決手段】自己防湿試験紙及びその製造方法において、試験紙には主に第一端と第二端のスライス状の粘着性パッド１０、一検体に浸透するサンプルパッド２０、当該検体の反応物質の反応物放出パッド３０により、当該検体の当該反応物質の反応結果を表示する結果表示パッド４０及び水分吸収パッド５０が直列配置される。水分吸収パッド５０は、主に水分を吸収する材質で構成されているため、テストでの使用時、その吸水性を利用して、サンプルパッド２０からあふれ出した検体の過剰残留液を吸収する。また、包装体の使用前は、包装体内の吸湿を行い、自己防湿機能が形成される。【選択図】図１
2015036686.tif 000002
【特許請求の範囲】
【請求項１】
自己防湿試験紙は、以下を含む。
サンプルパッド：検体の浸透を受け入れるのに用いる。
反応物放出パッド：一端が当該サンプルパッドに接触し、当該検体の反応物質を有する。
結果表示パッド：一端が当該反応物放出パッドに接触し、当該検体の当該反応物質の反応結果を表示するのに用いる。
水分吸収パッド：一端が当該結果表示パッドに接触し、当該吸収パッドは主に水分吸収剤から構成され、毛細効果を具備し、ポンプパスを経由して、最低でも結果表示パッドに伝導し、当該検体の毛細流動ポンプ力を提供し、最低でも包装された状態で、同時に当該試験紙周囲の包装内の空気中の水分を吸収する。
【請求項２】
請求項１で述べた自己防湿試験紙は、最低でも当該水分吸収パッドと当該サンプルパッドの間にポンプパスが形成され、当該水分吸収パッドの吸水性により当該検体の毛細流動ポンプ力を提供する。
【請求項３】
請求項１で述べた自己防湿試験紙の当該水分吸収パッドは幾何立体形状で、且つ当該試験紙周囲の空気中の水分を吸収することができる。
【請求項４】
自己防湿試験紙には以下が含まれる。
スライス状粘着性パッド：第一端と第二端を有する。
サンプルパッド：当該粘着性パッドの第一端に形成され、検体の浸透を受け入れる。
反応物放出パッド：当該粘着性パッド上に形成され、且つ当該サンプルパッドに接触し、且つ当該検体の反応物質を有する。
結果表示パッド：当該粘着性パッド上に形成され、且つ当該反応物放出パッドに接触し、且つ当該検体の当該反応物質の反応結果を表示する。
水分吸収パッド：当該粘着性パッドに形成され、且つ当該結果表示パッドに接触し、且つ主に水分を吸収する乾燥剤により構成され、毛細効果を具備し、吸水性により当該検体の毛細流動ポンプ力を提供し、同時に最低でも当該試験紙包装内の空気中の水分を吸収する。
【請求項５】
請求項４で述べた自己防湿試験紙は、最低でも当該水分吸収パッドと当該サンプルパッドの間にポンプパスが形成され、当該水分吸収パッドの吸水性を利用して当該検体の毛細流動ポンプ力を提供する。
【請求項６】
請求項４で述べた自己防湿試験紙の当該水分吸収パッドは幾何立体形状で、且つ当該試験紙周囲の空気中の水分を吸収することができる。
【請求項７】
請求項１または請求項４で述べた自己防湿試験紙の当該水分吸収パッドは、スライス状乾燥剤、フィルム乾燥剤または乾燥紙である。
【請求項８】
請求項１または請求項４で述べた自己防湿試験紙の試験紙の外包裝は、カセット式（Ｃａｓｓｅｔｔｅ）構造、スリップ式、ペン式（Ｍｉｄｓｔｒｅａｍ）構造、スライス式半成品、ロール式半成品またはカプセル式とすることができる。
【請求項９】
自己防湿試験紙の製造方法には以下が含まれる。
第一端と第二端を有する粘着性パッドベルト。
サンプルパッドベルト、反応物放出パッドベルト、結果表示パッドベルト、ベルト状水分吸収パッドは順番どおり当該粘着性パッドベルト上に結合し、切断前ベルト状試験紙を形成する。
その中で、当該ベルト状試験紙において、当該サンプルパッドベルトは当該粘着性パッドベルトの第一端に結合され、当該サンプルパッドベルトは検体の浸透を受け入れることができる。当該反応物放出パッドベルトは当該サンプルパッドベルトに接触する。且つ当該反応物放出パッドベルトは当該検体の一反応物質を有し、当該結果表示パッドベルトは当該反応物放出パッドに接触し、当該結果表示パッドベルトは当該検体の当該反応物質の反応結果を表示する。当該ベルト状水分吸収パッドは当該結果表示パッドベルトに接触する。且つ当該ベルト状水分吸収パッドは主に乾燥剤から構成され、吸水性により当該検体の毛細流動ポンプ力を提供し、同時に当該試験紙の周囲の空気の水分を吸収する。
【請求項１０】
請求項９で述べた自己防湿試験紙の製造方法には、更に以下が含まれる。
切断前の当該ベルト状試験紙を切断し、複数の試験紙を形成する。
【発明の詳細な説明】
【技術分野】
【０００１】本発明は、試験紙及びその製造方法に係わるもので、特に自己除湿・防湿能力を具備する試験紙及びその製造方法に関する。
【背景技術】
【０００２】近年、医療器材技術の発展により、家庭用生体信号測定器は普遍的なものとなってきている。例えば、血圧計、電子体温計、血糖計、尿酸測定機、コレステロール測定機、ミニ心電図機などで、各種生態信号測定器の価格はまちまちで、実用性も異なっている。
一部生態信号計測器は、必ず血液を採取して測定する必要がある。このため、必ず酵素を含む医療用試験紙で測定する必要がある。これは例えば、血糖、尿酸、総コレステロール、低密度リポタンパク、高密度リポタンパク、肝機能指数、トリグリセリド類などの測定である。医療用試験紙測定器を採用しているものの、当該機器の保存とメンテナンスは非常に容易である。しかし、医療用試験紙の保存は容易ではない。【０００３】医療用試験紙の保存が難しい理由は、医療用試験紙内の酵素が空気中の水分を吸収し、加水分解が発生して、医療用試験紙が無効となるためである。このため、医療用試験紙は、良好な密封効果のある医療用試験紙用瓶または包装材料で保存する必要がある。更には、医療用試験紙用瓶または包装材料内に別途、乾燥剤を入れる必要がある。【０００４】しかし、医療用試験紙用瓶または包装のコストは高めで、一旦瓶を開封したら、全ての医療用試験紙は湿気に直面する問題を有している。ユーザーは必ず一定期間内に使用を終わらせる、または防湿箱に改めて保管する必要がある。しかし、これもまた集中保管が必須となり、使用上、不便という問題が存在する。中華民国特許公告番号Ｍ４１９５７１『カプセル型医療用試験紙の包装』では、カプセル型医療用試験紙包装が提出されており、基材と乾燥剤層が最低一層、医療用試験紙が最低一枚含まれている。その中で、当該基材には複数個のカプセル構造が含まれており、各カプセル構造には観測窓が一つ含まれている。また、当該乾燥剤層には湿気を吸収した後に変色する材料が採用されており、且つ各カプセル構造の内表面に設置されている。しかし、簡単に湿気吸収の状況を観察できるものの、このような包装材料のコストは大幅に高まる。【０００５】その他比較的よくみる包装は、包装材に同時にパック状の乾燥剤が入っているものである。しかし、これはコストを高め、当該包装の内容空間は必ず当該乾燥剤の体積を考慮する必要があり、包装の形態が大きくなり、包装の形を試験スライスの形に近づけることができなくなり、空間を占有する。
【発明の概要】
【０００６】本発明の主な目的は、包装使用前に、自己防湿機能を有する試験紙とその製造方法を提供することにある。主に水分を吸収できる元素で構成される水分吸収パッドを利用する。その吸収力を利用する他に、吸水性により当該検体の残液を吸収し、包装使用前に、包装内の試験紙周辺の空気に残留する水分を自ら吸収し、試験紙の乾燥を維持し、これにより周知の技術の製造工程の複雑さ、除湿パーツの高コストといった問題を解決する。当該水分吸収パッドは、各パーツと同時に組み立てることで、自己防湿能力を具備する試験紙生産と包装の速度を高め、それと同時に包装の形を縮小することで、検体の形に近づけた精緻な包装が可能となる。
【０００７】上述の目的に基づき、本発明の試験紙及びその製造方法において、試験紙は主に第一端と第二端を有するスライス状の粘着性パッドで、一検体の浸透を受け入れるサンプルパッド、当該検体の反応物質の反応物放出パッド、当該検体の当該反応物質の反応結果を表示する結果表示パッドと水分吸収パッドの順番で組み合わされる。水分吸収パッドは主に水分を吸収する材料で構成され、その吸水性により、当該検体の過剰な水分を吸収し、開封使用前に包装内で当該試験紙周囲の空気の余分な水分を吸収し、試験紙が湿気により損壊する事態を回避させる。同時に水分吸収パッドは本来、必須のパーツであるため、パーツの数量が増えず、包装内でよく見られる薬剤保存に類似する乾燥剤が減るため、コストを下げることができる。
【０００８】本発明の続いての目的は、当該水分吸収パッドである。これは親水繊維で立体状またはスライス状で織られ、その中に湿度を吸収する乾燥剤を混合させ、その混合を層に充填させる、または親水繊維と糸になる前に化合でき、重要な点は、空気と接触することで、包装内の空気中に残る水分を吸収し始める点である。
本発明の更なる目的は生産時、直線性生産ラインを手配し、粘着性パッドの運行ラインに基づき、平行速度でその表面列に同時にベルト上のサンプルパッド、放出パッド、表示パッド、水分吸収パッドを結合し、結合後、運行ラインの終了前に切断装置を設け、移動頻度の変動に基づき完成品の幅を取り決めることである。
本発明の利点及び精神については、以下の発明の詳細説明及び図式で更に理解することができる。
【図面の簡単な説明】
【０００９】
【図１】本発明の自己防湿試験紙の模式図。
【図２】本発明の自己防湿試験紙の製造方法の模式図。
【発明を実施するための形態】
【００１０】図１を参照ください。図１は、本発明の自己防湿試験紙の断面図である。図１が示すように、本発明の自己防湿試験紙１（Ｌａｔｅｒａｌ  ｆｌｏｗ  ｔｅｓｔ  ｓｔｒｉｐ）は主に第一端１０１と第二端１０２の粘着性パッド１０（Ａｄｈｅｓｉｖｅ  ｃａｒｄ）、検体浸透のサンプルパッド２０、検体の反応物質の反応物放出パッド３０、検体の反応物質の反応結果を表示する結果表示パッド４０及び水分吸収パッド５０が含まれる。
その中で、サンプルパッド２０は粘着性パッド１０の第一端１０１に形成される。一方、反応物放出パッド３０は粘着性パッド１０の上に形成され、且つサンプルパッド２０に接触する。結果表示パッド４０は粘着性パッド１０の上に形成され、反応物放出パッド３０に接触する。水分吸収パッド５０は粘着性パッド１０の第二端１０２に形成され、且つ両者を伝導するポンプパス５１経由で、サンプルパッド２０に浸透の過剰液体が、ポンプパス５１沿いに水分吸収パッド５０に吸収される。当該ポンプパス５１は最低、水分吸収パッド５０と結果表示パッド４０の両者の接触により組み合わせられる。
【００１１】検体がサンプルパッド２０に滴下される時、水分吸収パッド５０は主に水分を吸収可能な材料から構成されるため、水分吸収パッド５０は主に吸水性を利用して、検体とその相対する通路を提供し、毛細流動ポンプ力を形成する。且つ検体が徐々に結果表示パッド４０に拡散され、この過程において、検体と反応物放出パッド３０において、当該検体の反応物質が反応し、試験紙１のオリジナル設計に基づき、結果表示パッド４０に反応結果が表示される（例、色のついたスラット状）。
【００１２】検体が順調に吸収されるために、最低でも水分吸収パッド５０と結果表示パッド４０の間にポンプパス５１を構築し、水分吸収パッド５０の吸収性を利用して、当該検体の毛細流動ポンプ力を提供する。ここでいう水分吸収パッド５０の構成材料は主に吸水性を有する高分子化合物で構成された立体状の塊やスライス状などのもので、当該立体状の構成要素は、サイフォン毛細現象の要求が必要とされ、フィラメントで形成することができる。吸水分子は繊維間の隙間に充填することができる、または層に挟んで複合する、または繊維の糸抽出前に混合し、プラスチック材料に化合し、環境内の空気と接触することで、包装６００の包装後の内部に残留した過剰な水分を吸収することができる。
従来の方法の包装材内に一緒に包装する独立乾燥剤を省き、周知の技術の製造工程の複雑さ、高コストなどの問題を解決するために、水分吸収パッド５０は当該試験紙１の周囲の空気内の水分を吸収することで、同類製品の防湿メカニズムを提供することができる。
【００１３】実装において、水分吸収パッド５０は幾何立体形状で、当該試験紙１の周囲の空気内の水分を吸収することができる（例、塊状、スライス状、スラット状）。水分吸収パッド５０は、スライス状乾燥剤、フィルム乾燥剤や乾燥紙に類似することができる。また、水分吸収パッド５０の材質の選択において、除湿機能の部分において、下記のグループから一つまたは組み合わせて含ませることができる。（１）水反応的化合物（例、塩化カルシウム、酸化カルシウム、無水リン酸）。（２）高吸水性の物質（例、シリコン、高分子集合体、サトウキビ繊維、モンモリロナイト、活性炭）。
【００１４】水分吸収パッド５０の充分な利用状態を提供するために、コーティングケースにより自己防湿試験紙１を入れることもできる。且つ試験紙１のケースは、カセット式（Ｃａｓｓｅｔｔｅ）構造やペン式（Ｍｉｄｓｔｒｅａｍ）構造のケースとすることができ、且つ水分吸収パッド５０の形状は、スリット状の試験紙、または塊状、または切断予定のロール状の完成品とすることができる。
図２を参照ください。図２は本発明の自己防湿試験紙の製造方法の模式図である。図２で示すとおり、本発明の自己防湿試験紙の製造方法において、まず第一端１０１と第二端１０２を有する粘着性パッドベルト１００が提供され、続いて、サンプルパッドベルト２００、反応物放出パッドベルト３００、結果表示パッドベルト４００、ベルト状水分吸収パッド５００の順に粘着性パッドベルト上１００に形成され、切断前ベルト状試験紙（Ｕｎｃｕｔ  ｌａｔｅｒａｌ  ｆｌｏｗ  ｔｅｓｔ  ｓｈｅｅｔ）が形成される。続いて、切断を経て、複数の切断状態の試験紙１が形成される。切断後の試験紙１またはロール式半製品は、包装６００により完成品が包装される。当該包装作業には、試験紙１が入ったカセット式またはペン式ケースの包装後の包装も含まれる。
【００１５】その中で、切断前ベルト状試験紙において、サンプルパッドベルト２００は粘着性パッドベルト１００の第一端１０１に形成され、サンプルパッドベルト１００を用いて検体の浸透を受け入れる。反応物放出パッドベルト２００はサンプルパッドベルト２００に接触する。反応物放出パッドベルト３００は検体の反応物質を有する。結果表示パッドベルト４００は反応物放出に接触し、且つ結果表示パッドベルト４００は当該検体の反応物質の反応結果を表示する。ベルト状吸水吸湿５００は、当該結果表示パッドに接触することができる。且つベルト状水分吸収パッド５００は主に水分吸収材で構成され、吸水性を用いて当該検体の毛細流動ポンプ力を提供する。試験紙１は包封された状態で、同時に包装内の当該試験紙１周囲の空気中の水分を吸収する。
以上のより具体的な陳述により、本発明の特徴及び精神をより理解いただけることを希望する。且つ以上で公開の具体的な実例により、本発明の範疇が制限されないことを希望する。とにかく、目的は各種改変及び相当する手配が、本発明が申請を希望する特許範囲の範疇をカバーすることにある。
【符号の説明】
【００１６】１    自己防湿試験紙（Ｌａｔｅｒａｌ  ｆｌｏｗ  ｔｅｓｔ  ｓｔｒｉｐ）
１０  粘着性パッド（Ａｄｈｅｓｉｖｅ  ｃａｒｄ）
１０１  第一端
１０２  第二端
２０  サンプルパッド（Ｓａｍｐｌｅ  ｐａｄ）
３０  反応物放出パッド（Ｃｏｎｊｕｇａｔｅｄ  ｐａｄ）
４０  結果表示パッド（Ｍｅｍｂｒａｎｅ）
５０  水分吸収パッド（Ａｂｓｏｒｂｅｎｔ  ｐａｄ）
５１  ポンプパス
１００  粘着性パッドベルト
２００  サンプルパッドベルト
３００  反応物放出パッドベルト
４００  結果表示パッドベルト
５００  ベルト状水分吸収パッド
６００  包装
７  切断装置
【図１】
2015036686.tif 000003
【図２】
2015036686.tif 000004